(57)【要約】【課題】使用条件に合わせて適切な電池容量を供給することができる電子式ガスメータおよび電子式ガスメータ用電池パックを提供すること。【解決手段】本発明の電子式ガスメータは、電池から給電されてガスメータの全体動作を制御するコントローラ１１が搭載された基板１０を有する電子式ガスメータであって、基板１０には、電気的に並列接続され、それぞれ、電池３３，４３が収納された電池パック３０，４０を接続するための２個のコネクタ１５，１６が搭載されている。【選択図】図１
2007333691.tif 000002
【特許請求の範囲】
【請求項１】
電池から給電されてガスメータの全体動作を制御するコントローラが搭載された基板を有する電子式ガスメータであって、
前記基板には、電気的に並列接続され、それぞれ、前記電池が収納された電池パックを接続するための２個のコネクタが搭載されていることを特徴とする電子式ガスメータ。
【請求項２】
請求項１記載の電子式ガスメータにおいて、
前記２個のコネクタの一方には、第１の容量を持つ前記電池が収納されたメイン電池パックが接続され、他方には、前記電子式ガスメータが前記第１の電池容量よりも大きい第２の電池容量が必要な場合に、前記第２の電池容量とするための容量を持つ前記電池が収納されたサブ電池パックが接続されることを特徴とする電子式ガスメータ。
【請求項３】
電池から給電されてガスメータの全体動作を制御するコントローラが搭載された基板を有する電子式ガスメータであって、
前記基板には、並列接続された第１および第３のコネクタが搭載されており、
前記第１のコネクタには、第１の電池容量を持つメイン電池が収納されて前記コントローラに給電するメイン電池パックを接続するための第２のコネクタが接続され、
前記第１の電池容量よりも大きい第２の電池容量が必要な場合は、前記第３のコネクタに、前記メイン電池に接続されるサブ電池が収納されたサブ電池パックを接続するための第４のコネクタが接続されることを特徴とする電子式ガスメータ。
【請求項４】
電池から給電されてガスメータの全体動作を制御するコントローラが搭載された基板を有する電子式ガスメータであって、
前記基板には、第１のコネクタが搭載されており、
前記第１のコネクタには、第１の電池容量を持つメイン電池が収納されて前記コントローラに給電するメイン電池パックを接続するための第２のコネクタが接続され、
前記第１の電池容量よりも大きい第２の電池容量が必要な場合は、前記第２のコネクタに並列接続された第３のコネクタに、前記メイン電池に接続されるサブ電池が収納されたサブ電池パックを接続するための第４のコネクタが接続されることを特徴とする電子式ガスメータ。
【請求項５】
ガスメータの全体動作を制御するコントローラと該コントローラに電池から給電するための第１のコネクタとが搭載された基板を有する電子式ガスメータにおける前記第１のコネクタに接続される電子式ガスメータ用電池パックであって、
第１の容量を持つ電池が収納され、前記第１のコネクタに電気的に接続される第２のコネクタを備えると共に、前記第２のコネクタに電気的に並列接続された第３のコネクタを備えたことを特徴とする電子式ガスメータ用電池パック。
【請求項６】
請求項５記載の電子式ガスメータ用電池パックにおいて、
前記第３のコネクタには、前記電子式ガスメータが前記第１の電池容量よりも大きい第２の電池容量を必要とする場合に、前記第２の電池容量とするための容量を持つ電池が収納された別の電池パックが接続されることを特徴とする電子式ガスメータ用電池パック。
【請求項７】
請求項２記載の電子式ガスメータまたは請求項６記載の電子式ガスメータ用電池パックに用いられる電子式ガスメータ用電池パックであって、前記第１の容量より小さい容量を持つ電池が収納されると共に、前記第１の容量を持つ電池に電気的に並列接続するためのコネクタを備えたことを特徴とする電子式ガスメータ用電池パック。
【発明の詳細な説明】
【技術分野】
【０００１】
本発明は、電子式ガスメータおよび電子式ガスメータ用電池パックに関するものである。
【背景技術】
【０００２】
図７は、従来の電子式ガスメータの要部構成図である。図７において、ガスメータに内蔵される基板１０には、コントローラ１１と、コントローラ１１に配線パターン１３で接続された表示器１２が実装されている。また、基板１０の端部には、それぞれ、配線パターン１７，１８および１９でコントローラ１１に接続されたコネクタ１４および１５が設けられている。コネクタ１４には、コネクタ２１が結合され、コネクタ２１およびケーブル２２を介して遮断弁２０が接続されている。また、コネクタ１５には、電池パック５０にケーブル５２を介して接続されたコネクタ５１が結合されている。
【０００３】
電池パック５０には、ケーブル５２の２本のケーブル線５２ａおよび５２ｂ間に並列接続された一次電池や二次電池等からなる複数の電池５３が収納されている。電池５３は、この電子式ガスメータの電源となりガスメータの動作を安定に行わせる容量に見合う個数だけ電池パック５０に収納されている。
【発明の開示】
【発明が解決しようとする課題】
【０００４】
ところで、電子式ガスメータにおいて、電源となる電池の容量は大きいほど良いが、経済性を考えるとできるだけ容量を小さくしたいという要求がある。一方、電子的な計測では、安定した流量での計測時には、サンプリング時間を長くしても可能であるが、流量変動が大きい場合は、計測精度を上げるためにサンプリング時間を短くする必要があり、この場合、消費電流が多くなってしまうので、電池の容量を多く必要とする。また、寒冷地で使用される電子式ガスメータにおいても、電池の温度特性に依存して容量が多く必要になる。
【０００５】
そのため、温暖地方の一般的な家庭等で使用される標準の使用条件の場合、電池５３の個数が本来たとえば５個で済むとすれば、流量変動の大きい場合や寒冷地で使用される場合等の特殊な使用条件を考慮して最大の消費電流にガスメータの電池容量を合わせるように設計すると、電池パック５０に収納される電池５３の個数はたとえば６個必要となり、電池１個分の過剰な電池容量が搭載されることになる。
【０００６】
また、電池パック５０のサイズを最大の消費電流を考慮した電池容量に合わせた個数の電池５３を収納できるようなサイズにする必要があり、電池パック５０のサイズが大きくなり、それだけ電池パック５０の収容スペースを多く必要とするため設計自由度が低下する。
【０００７】
そこで本発明は、上述した課題に鑑み、使用条件に合わせて適切な電池容量を供給することができる電子式ガスメータおよび電子式ガスメータ用電池パックを提供することを目的としている。
【課題を解決するための手段】
【０００８】
上記課題を解決するためになされた請求項１記載の発明は、電池から給電されてガスメータの全体動作を制御するコントローラが搭載された基板を有する電子式ガスメータであって、前記基板には、電気的に並列接続され、それぞれ、前記電池が収納された電池パックを接続するための２個のコネクタが搭載されていることを特徴とする。
【０００９】
上記課題を解決するためになされた請求項２記載の発明は、請求項１記載の電子式ガスメータにおいて、前記２個のコネクタの一方には、第１の容量を持つ前記電池が収納されたメイン電池パックが接続され、他方には、前記電子式ガスメータが前記第１の電池容量よりも大きい第２の電池容量が必要な場合に、前記第２の電池容量とするための容量を持つ前記電池が収納されたサブ電池パックが接続されることを特徴とする。
【００１０】
上記課題を解決するためになされた請求項３記載の発明は、電池から給電されてガスメータの全体動作を制御するコントローラが搭載された基板を有する電子式ガスメータであって、前記基板には、並列接続された第１および第３のコネクタが搭載されており、前記第１のコネクタには、第１の電池容量を持つメイン電池が収納されて前記コントローラに給電するメイン電池パックを接続するための第２のコネクタが接続され、前記第１の電池容量よりも大きい第２の電池容量が必要な場合は、前記第３のコネクタに、前記メイン電池に接続されるサブ電池が収納されたサブ電池パックを接続するための第４のコネクタが接続されることを特徴とする。
【００１１】
上記課題を解決するためになされた請求項４記載の発明は、電池から給電されてガスメータの全体動作を制御するコントローラが搭載された基板を有する電子式ガスメータであって、前記基板には、第１のコネクタが搭載されており、前記第１のコネクタには、第１の電池容量を持つメイン電池が収納されて前記コントローラに給電するメイン電池パックを接続するための第２のコネクタが接続され、前記第１の電池容量よりも大きい第２の電池容量が必要な場合は、前記第２のコネクタに並列接続された第３のコネクタに、前記メイン電池に接続されるサブ電池が収納されたサブ電池パックを接続するための第４のコネクタが接続されることを特徴とする。
【００１２】
上記課題を解決するためになされた請求項５記載の発明は、ガスメータの全体動作を制御するコントローラと該コントローラに電池から給電するための第１のコネクタとが搭載された基板を有する電子式ガスメータにおける前記第１のコネクタに接続される電子式ガスメータ用電池パックであって、第１の容量を持つ電池が収納され、前記第１のコネクタに電気的に接続される第２のコネクタを備えると共に、前記第２のコネクタに電気的に並列接続された第３のコネクタを備えたことを特徴とする。
【００１３】
上記課題を解決するためになされた請求項６記載の発明は、請求項５記載の電子式ガスメータ用電池パックにおいて、前記第３のコネクタには、前記電子式ガスメータが前記第１の電池容量よりも大きい第２の電池容量を必要とする場合に、前記第２の電池容量とするための容量を持つ電池が収納された別の電池パックが接続されることを特徴とする。
【００１４】
上記課題を解決するためになされた請求項７記載の発明は、請求項２記載の電子式ガスメータまたは請求項６記載の電子式ガスメータ用電池パックに用いられる電子式ガスメータ用電池パックであって、前記第１の容量より小さい容量を持つ電池が収納されると共に、前記第１の容量を持つ電池に電気的に並列接続するためのコネクタを備えたことを特徴とする。
【発明の効果】
【００１５】
請求項１記載の発明によれば、電池から給電されてガスメータの全体動作を制御するコントローラが搭載された基板を有する電子式ガスメータであって、基板には、電気的に並列接続され、それぞれ、電池が収納された電池パックを接続するための２個のコネクタが搭載されているので、一方だけに電池パックを接続するかまたは両方に電池パックを接続することにより、電池容量を変更することができるので、安定流量の場合や流量変動が大きい場合や寒冷地の場合等の使用条件に合わせて、適切な電池容量を備えたガスメータを提供することができる。
【００１６】
請求項２記載の発明によれば、２個のコネクタの一方には、第１の容量を持つ電池が収納されたメイン電池パックが接続され、他方には、電子式ガスメータが第１の電池容量よりも大きい第２の電池容量が必要な場合に、第２の電池容量とするための容量を持つ電池が収納されたサブ電池パックが接続されるので、安定流量の場合や流量変動が大きい場合や寒冷地の場合等の使用条件に合わせて、適切な電池容量を備えたガスメータを提供することができる。また、標準の使用条件の場合に必要なメイン電池パックの収容スペースは、上述の従来構造に対して少なくて済み、特殊な使用条件の場合に追加されるサブ電池パックは、たとえばデッドスペースに配置することができるので、ガスメータのハウジングを効率的なサイズにすることができる。
【００１７】
請求項３記載の発明によれば、電池から給電されてガスメータの全体動作を制御するコントローラが搭載された基板を有する電子式ガスメータであって、基板には、並列接続された第１および第３のコネクタが搭載されており、第１のコネクタには、第１の電池容量を持つメイン電池が収納されてコントローラに給電するメイン電池パックを接続するための第２のコネクタが接続され、第１の電池容量よりも大きい第２の電池容量が必要な場合は、第３のコネクタに、メイン電池に接続されるサブ電池が収納されたサブ電池パックを接続するための第４のコネクタが接続されるので、安定流量の場合や流量変動が大きい場合や寒冷地の場合等の使用条件に合わせて、適切な電池容量を備えたガスメータを提供することができる。また、標準の使用条件の場合に必要なメイン電池パックの収容スペースは、上述の従来構造に対して少なくて済み、特殊な使用条件の場合に追加されるサブ電池パックは、たとえばデッドスペースに配置することができるので、ガスメータのハウジングを効率的なサイズにすることができる。
【００１８】
請求項４記載の発明によれば、電池から給電されてガスメータの全体動作を制御するコントローラが搭載された基板を有する電子式ガスメータであって、基板には、第１のコネクタが搭載されており、第１のコネクタには、第１の電池容量を持つメイン電池が収納されてコントローラに給電するメイン電池パックを接続するための第２のコネクタが接続され、第１の電池容量よりも大きい第２の電池容量が必要な場合は、第２のコネクタに並列接続された第３のコネクタに、メイン電池に接続されるサブ電池が収納されたサブ電池パックを接続するための第４のコネクタが接続されるので、安定流量の場合や流量変動が大きい場合や寒冷地の場合等の使用条件に合わせて、適切な電池容量を備えたガスメータを提供することができる。また、標準の使用条件の場合に必要なメイン電池パックの収容スペースは、上述の従来構造に対して少なくて済み、特殊な使用条件の場合に追加されるサブ電池パックは、たとえばデッドスペースに配置することができるので、ガスメータのハウジングを効率的なサイズにすることができる。
【００１９】
請求項５記載の発明によれば、ガスメータの全体動作を制御するコントローラと該コントローラに電池から給電するための第１のコネクタとが搭載された基板を有する電子式ガスメータにおける第１のコネクタに接続される電子式ガスメータ用電池パックであって、第１の容量を持つ電池が収納され、第１のコネクタに電気的に接続される第２のコネクタを備えると共に、第２のコネクタに電気的に並列接続された第３のコネクタを備えているので、第２のコネクタに別の電池パックを接続したりしなかったりすることにより、電池容量を変更することができるので、安定流量の場合や流量変動が大きい場合や寒冷地の場合等の使用条件に合わせて、ガスメータに適切な電池容量を持たせることができる。
【００２０】
請求項６記載の発明によれば、第３のコネクタには、電子式ガスメータが第１の電池容量よりも大きい第２の電池容量を必要とする場合に、第２の電池容量とするための容量を持つ電池が収納された別の電池パックが接続されるので、安定流量の場合や流量変動が大きい場合や寒冷地の場合等の使用条件に合わせて、ガスメータに適切な電池容量を持たせることができる。また、特殊な使用条件の場合に第３のコネクタに接続される別の電池パックは、たとえばデッドスペースに配置することができるので、ガスメータのハウジングを効率的なサイズにすることができる。
【００２１】
請求項７記載の発明によれば、請求項２記載の電子式ガスメータまたは請求項６記載の電子式ガスメータ用電池パックに用いられる電子式ガスメータ用電池パックであって、第１の容量より小さい容量を持つ電池が収納されると共に、第１の容量を持つ電池に電気的に並列接続するためのコネクタを備えているので、安定流量の場合や流量変動が大きい場合や寒冷地の場合等の使用条件に合わせて、ガスメータに従来のように過剰な電池容量ではなく適切な電池容量を持たせることができる。
【発明を実施するための最良の形態】
【００２２】
以下、本発明の実施の形態について図面を参照して説明する。
【００２３】
（第１の実施形態）図１は、本発明の第１の実施形態に係る電子式ガスメータの要部構成図である。図１において、電子式ガスメータに内蔵される基板１０には、ガスメータの動作全体を制御するマイクロコンピュータ等からなるコントローラ１１と、コントローラ１１に配線パターン１３で接続され、計測されたガスの積算流量等を表示するＬＣＤ等からなる表示器１２が実装されている。
【００２４】
また、基板１０の端部には、それぞれ、配線パターン１７，１８および１９でコントローラ１１に接続されたコネクタ１４と第１のコネクタとしてのコネクタ１５が搭載されている。さらに、コネクタ１５の近傍には、配線パターン１８および１９にそれぞれ接続された配線パターン２３および２４でコントローラ１１に接続された第３のコネクタとしてのコネクタ１６が搭載されている。すなわち、コネクタ１５および１６は、電気的に並列接続されている。コネクタ１４には、コネクタ２１が結合され、コネクタ２１およびケーブル２２を介して遮断弁２０が接続されている。コネクタ１４およびコネクタ２１は、どちらか一方が雄型コネクタで他方が雌型コネクタである。
【００２５】
また、コネクタ１５には、メイン電池パック３０にケーブル３２を介して接続された、第２のコネクタとしてのコネクタ３１が結合可能になっており、コネクタ１６には、サブ電池パック４０にケーブル４２を介して接続された、第４のコネクタしてのコネクタ４１が結合可能になっている。コネクタ１５およびコネクタ３１と、コネクタ１６およびコネクタ４１は、それぞれ、どちらか一方が雄型コネクタで他方が雌型コネクタである。
【００２６】
メイン電池パック３０には、ケーブル３２の２本のケーブル線３２ａおよび３２ｂ間に並列接続された複数のメイン電池としての電池３３が収納されている。サブ電池パック４０には、ケーブル４２の２本のケーブル線４２ａおよび４２ｂ間に並列接続されたサブ電池としての電池４３が収納されている。サブ電池パック４０は、請求項７記載の電子式ガスメータ用電池パックに相当する。
【００２７】
電池３３は、一次電池や二次電池等からなり、共通で使用できる標準の使用条件に対応する標準容量（第１の電池容量）に見合う個数（図１では、たとえば５個）だけメイン電池パック３０に収納されている。また、電池４３は、たとえば電池３３と同一タイプの電池からなり、流量変動の大きい場合や寒冷地で使用される場合等の特殊な使用条件の時に必要とされる、標準容量より大きい電池容量（第２の電池容量）をガスメータに持たせるために追加分の個数（図１では、たとえば１個）だけサブ電池パック４０に収納されている。サブ電池パック４０は、追加される容量分の電池を収納するだけなので、メイン電池パック３０よりも小さなサイズとされる。
【００２８】
このような構成において、まず、標準の使用条件で使用されるガスメータの場合は、図２に示すように、コネクタ１５にコネクタ３１を結合し、コネクタ１６にはコネクタ４１を結合しない構成とする。それにより、コントローラ１１に供給される電源の容量は、メイン電池パック３０に収納されている５個の電池３３による標準容量となる。
【００２９】
また、流量変動の大きい場合や寒冷地で使用される場合等の特殊な使用条件で使用されるガスメータの場合は、図３に示すように、コネクタ１５にコネクタ３１を結合すると共に、コネクタ１６にコネクタ４１を結合する。それにより、メイン電池パック３０に収納されている５個の電池３３とサブ電池パック４０に収納されている１個の電池４３が並列接続され、コントローラ１１に供給される電源の容量は、電池６個により標準容量より大きい容量となる。
【００３０】
このように、本発明の第１の実施形態によれば、標準の使用条件または特殊な使用条件に合わせて、コネクタ１５にコネクタ３１を接続すると共にコネクタ１６へのコネクタ４１の接続／不接続を行うことにより、ガスメータの電池による電源の容量を適切なものにすることができる。
【００３１】
また、標準の使用条件の場合に必要なメイン電池パック３０の収容スペースは、特殊な使用条件の場合の電池本数を１パッケージにした場合に対して少なくて済み、特殊な使用条件の場合に追加されるサブ電池パック４０は、増加される容量も少ないため小型になり、電池を収納するサイズも小さくなり、たとえばデッドスペースに配置することができるので、ガスメータのハウジングを効率的なサイズにすることができる。
【００３２】
（第２の実施形態）次に図４は、本発明の第２の実施形態に係る電子式ガスメータの要部構成図である。図４において、電子式ガスメータに内蔵される基板１０には、ガスメータの動作全体を制御するマイクロコンピュータ等からなるコントローラ１１と、コントローラ１１に配線パターン１３で接続され、計測されたガスの積算流量等を表示するＬＣＤ等からなる表示器１２が実装されている。
【００３３】
また、基板１０の端部には、それぞれ、配線パターン１７，１８および１９でコントローラ１１に接続されたコネクタ１４および１５が搭載されている。コネクタ１４には、コネクタ２１が結合され、コネクタ２１およびケーブル２２を介して遮断弁２０が接続されている。コネクタ１４およびコネクタ２１は、どちらか一方が雄型コネクタで他方が雌型コネクタである。
【００３４】
また、コネクタ１５には、２本のケーブル線３２ａおよび３２ｂを有するケーブル３２を介してメイン電池パック３０に接続されたコネクタ３１が結合可能になっている。コネクタ３１には、ケーブル線３２ａに接続されたケーブル線３４ａとケーブル線３２ｂに接続されたケーブル線３４ｂを有するケーブル３４を介してコネクタ１６が並列に接続されている。コネクタ１６には、サブ電池パック４０にケーブル４２を介して接続されたコネクタ４１が結合可能になっている。コネクタ１５およびコネクタ３１と、コネクタ１６およびコネクタ４１は、それぞれ、どちらか一方が雄型コネクタで他方が雌型コネクタである。
【００３５】
メイン電池パック３０には、ケーブル３２の２本のケーブル線３２ａおよび３２ｂ間に並列接続された５個の電池３３が収納されている。サブ電池パック４０には、ケーブル４２の２本のケーブル線４２ａおよび４２ｂ間に並列接続された１個の電池４３が収納されている。この第２の実施形態におけるメイン電池パック３０は、請求項５および６記載の電子式ガスメータ用電池パックに相当し、サブ電池パック４０は、請求項７記載の電子式ガスメータ用電池パックに相当する。
【００３６】
このような構成において、まず、標準の使用条件で使用されるガスメータの場合は、図５に示すように、コネクタ１５にコネクタ３１を結合し、コネクタ１６にはコネクタ４１を結合しない構成とする。それにより、コントローラ１１に供給される電源の容量は、メイン電池パック３０に収納されている５個の電池３３による標準容量となる。
【００３７】
また、流量変動の大きい場合や寒冷地で使用される場合等の特殊な使用条件で使用されるガスメータの場合は、図６に示すように、コネクタ１５にコネクタ３１を結合すると共に、コネクタ１６にコネクタ４１を結合する。それにより、メイン電池パック３０に収納されている５個の電池３３とサブ電池パック４０に収納されている１個の電池４３が並列接続され、コントローラ１１に供給される電源の容量は、電池６個により、標準容量より大きい容量となる。
【００３８】
このように、本発明の第２の実施形態によれば、標準の使用条件または特殊な使用条件に合わせて、コネクタ１５にコネクタ３１を接続すると共にコネクタ１６へのコネクタ４１の接続／不接続を行うことにより、ガスメータの電池による電源の容量を適切なものにすることができる。
【００３９】
また、標準の使用条件の場合に必要なメイン電池パック３０の収容スペースは、特殊な使用条件の場合の電池本数を１パッケージした場合に対して少なくて済み、特殊な使用条件の場合に追加されるサブ電池パック４０は、追加される容量も少ないため小型になり、電池を収納するサイズも小さくなり、たとえばデッドスペースに配置することができるので、ガスメータのハウジングを効率的なサイズにすることができる。
【００４０】
以上の通り、本発明の実施形態について説明したが、本発明はこれに限らず、種々の変形、応用が可能である。
【図面の簡単な説明】
【００４１】
【図１】本発明の第１の実施形態に係る電子式ガスメータの要部構成図である。（第１の実施形態）
【図２】図１の電子式ガスメータにおける電池パックの接続例を示す図である。（第１の実施形態）
【図３】図１の電子式ガスメータにおける電池パックの他の接続例を示す図である。（第１の実施形態）
【図４】本発明の第２の実施形態に係る電子式ガスメータの要部構成図である。（第２の実施形態）
【図５】図４の電子式ガスメータにおける電池パックの接続例を示す図である。（第２の実施形態）
【図６】図４の電子式ガスメータにおける電池パックの他の接続例を示す図である。（第２の実施形態）
【図７】従来の電子式ガスメータの要部構成図である。
【符号の説明】
【００４２】
１０    基板
１１    コントローラ
１５    コネクタ（第１のコネクタ）
１６    コネクタ（第３のコネクタ）
３０    メイン電池パック（電子式ガスメータ用電池パック）
３１    コネクタ（第２のコネクタ）
３３    電池（メイン電池）
４０    サブ電池パック（電子式ガスメータ用電池パック）
４１    コネクタ（第４のコネクタ）
４３    電池（サブ電池）
【図１】
2007333691.tif 000003
【図２】
2007333691.tif 000004
【図３】
2007333691.tif 000005
【図４】
2007333691.tif 000006
【図５】
2007333691.tif 000007
【図６】
2007333691.tif 000008
【図７】
2007333691.tif 000009